(57)【要約】【課題】複数機種に対応したプログラム記憶手段に対し、容易にかつ安価に機種を特定させるようにした表示装置またはそれを用いた加熱調理器を提供すること。【解決手段】複数機種に対応したプログラム記憶手段１と、機種情報を表示する表示手段２と、機種に対応して設定が切り替えられる設定切替手段４を前記表示手段に設け、前記プログラム記憶手段と前記表示手段とを電気的に接続することで複数機種を特定の機種に設定できることを特徴とし、複数機種を特定機種に設定するのを前記プログラム記憶手段１と前記表示手段２とを電気的に接続するだけで行うことができるため、機種設定のための機種設定用専用部品を必要とせず、部品点数の削減や製造コストの削減が図ることができる。【選択図】図１
2005292246.tif 000002
【特許請求の範囲】
【請求項１】
複数機種に対応した制御プログラムを記憶したプログラム記憶手段と、機種に関連した情報を表示する表示手段と、機種に対応して電気的に設定が切り替えられる設定切替手段を前記表示手段に設け、前記プログラム記憶手段と前記表示手段とを電気的に接続することで複数機種を特定の機種に設定できることを特徴とした表示装置。
【請求項２】
複数機種に対応した制御プログラムを記憶したプログラム記憶手段と、特定機種に関連した情報を印刷表示した表示手段と、機種に対応して電気的に設定が切り替えられる設定切替手段と、前記設定切替手段は、前記表示手段の情報を表示する電極形成部に設け、前記プログラム記憶手段と前記表示手段とを電気的に接続することで複数機種に対応した制御プログラムの中から前記表示手段に対応した制御プログラムを選択し、かつ制御プログラムを実行することを特徴とした表示装置。
【請求項３】
設定切替手段を設けた表示手段は、印刷情報を表示する電極配線と機種を特定する機種特定用電極配線で構成された請求項１または２に記載の表示装置。
【請求項４】
設定切替手段を設けた表示手段は、電気的接続を行う配線に応じて接続ピンを設け、前記表示手段の接続ピンを制御基板に接続することで複数機種を特定の機種に設定できることを特徴とした請求項３に記載の表示装置。
【請求項５】
設定切替手段を設けた表示手段は、印刷情報を表示する電極配線と機種を特定する機種特定用電極配線配線とを制御基板に電気的接続するために直線状接続部を設け、前記直線状接続部と制御基板側電極配線部を導電性弾性体で接続することで複数機種を特定の機種に設定できることを特徴とした請求項３に記載の表示装置。
【請求項６】
請求項１〜５に記載の表示装置を用いた加熱調理器。
【発明の詳細な説明】
【技術分野】
【０００１】
本発明は、複数機種に対応した制御手段に対し、容易にかつ安価に機種を特定させるようにした表示装置またはそれを用いた加熱調理器に関するものである。
【背景技術】
【０００２】
従来、この種の表示装置、またはこれに類するものである制御基板としては、機種または設定の切り替え用ジャンパーなどを用いて制御手段に機種情報を入力している（例えば、特許文献１参照）。
【０００３】
図６は、特許文献１に記載された従来の制御基板を示すものである。図６に示すように、複数種類の運転プログラムを記憶している運転プログラム記憶部１４と、機種に関連した情報を記憶する機種情報記憶部（従来例ではＥＥＰＲＯＭ）１５と、機種に関連して物理的に設定が切り替えられる機種設定切替部（従来例ではジャンパー）１６と、機種情報記憶部１５と機種設定切替部１６からの機種情報が入力されそれに応じた運転制御プログラムを制御する主制御部１３から構成されている。
【特許文献１】特開２００２−１１５６６５号公報
【発明の開示】
【発明が解決しようとする課題】
【０００４】
しかしながら、前記従来の構成では、制御基板の構成要素として機種または設定の切り替えにＥＥＰＲＯＭに記憶された機種情報と、ジャンパーなどの切り替え専用部品を用いており、その情報を基に運転プログラム記憶部に入力して運転プログラムを選択させている、すなわち機種または設定を切り替えている。そのような構成においては、機種情報を記憶させておく部品、複数の機種を切り替えるための専用部品が必ず必要となり、制御基板を製造する際に部品点数が増加すると共に、例えば製造時における半田ブリッチなどの製造工程上の不良増加にもつながる。また、ＥＥＰＲＯＭに記憶させた情報と、ジャンパーの有無による情報で機種切り替えするため、例えば複数機種を製造する場合、ジャンパー有りとなしそれぞれの制御基板を製造しなければならない。また、ＥＥＰＲＯＭにも機種情報を記憶させる工程も必要となるなど、製造コストも増加し、かつ制御基板の種類も増加するという課題を有していた。
【０００５】
本発明は、前記従来の課題を解決するもので、複数機種に対応した制御手段に対し、容易にかつ安価に機種を特定させるようにした表示装置またはそれを用いた加熱調理器を提供することを目的とする。
【課題を解決するための手段】
【０００６】
前記従来の課題を解決するために、本発明の表示装置は、複数機種に対応した制御プログラムを記憶したプログラム記憶手段と、機種に関連した情報を表示する表示手段と、機種に対応して電気的に設定が切り替えられる設定切替手段を前記表示手段に設け、前記プログラム記憶手段と前記表示手段とを電気的に接続することで複数機種を特定の機種に設定できることを特徴としたものである。
【０００７】
これによって、複数機種を特定機種に設定するのを前記プログラム記憶手段と前記表示手段とを電気的に接続するだけで行うことができるため、機種設定のためのＥＥＰＲＯＭやジャンパーなどの機種設定用専用部品を必要とせず、部品点数の削減や製造コストの削減が図ることができる。また、設定切替手段を設けた表示手段以外は全て共用で製造することも可能なため、その部分については複数機種分の製造をまとめて行うことができるため、製造管理や部品調達も簡単になる。
【発明の効果】
【０００８】
本発明の表示装置は、複数機種を特定機種に設定するのを前記プログラム記憶手段と前記表示手段とを電気的に接続するだけで行うことができるため、機種設定のためのＥＥＰＲＯＭやジャンパーなどの機種設定用専用部品を必要とせず、部品点数の削減や製造コストの削減が図ることができる。また、設定切替手段を設けた表示手段以外は全て共用で製造することも可能なため、その部分については複数機種分の製造をまとめて行うことができるため、製造管理や部品調達も簡単になる。
【発明を実施するための最良の形態】
【０００９】
第１の発明の表示装置は、複数機種に対応した制御プログラムを記憶したプログラム記憶手段と、機種に関連した情報を表示する表示手段と、機種に対応して電気的に設定が切り替えられる設定切替手段を前記表示手段に設け、前記プログラム記憶手段と前記表示手段とを電気的に接続することで複数機種を特定の機種に設定できることを特徴としたものである。
【００１０】
これによって、複数機種を特定機種に設定するのを前記プログラム記憶手段と前記表示手段とを電気的に接続するだけで行うことができるため、機種設定のためのＥＥＰＲＯＭやジャンパーなどの機種設定用専用部品を必要とせず、部品点数の削減や製造コストの削減が図ることができる。また、設定切替手段を設けた表示手段以外は全て共用で製造することも可能なため、その部分については複数機種分の製造をまとめて行うことができるため、製造管理や部品調達も簡単になる。
【００１１】
第２の発明の表示装置は、複数機種に対応した制御プログラムを記憶したプログラム記憶手段と、特定機種に関連した情報を印刷表示した表示手段と、機種に対応して電気的に設定が切り替えられる設定切替手段と、前記設定切替手段は、前記表示手段の情報を表示する電極形成部に設け、前記プログラム記憶手段と前記表示手段とを電気的に接続することで複数機種に対応した制御プログラムの中から前記表示手段に対応した制御プログラムを選択し、かつ制御プログラムを実行することを特徴としたものである。
【００１２】
これによって、前記表示手段の表示情報と前記設定切替手段を前記表示手段の電極形成部に設けることで、前記表示手段の電極形成部と前記プログラム記憶手段とを電気的に接続するだけで、同時に前記設定切替手段の電気的接続もできるため、それ専用の接続部品、接続工程を必要とせず部品点数の削減、接続工程の削減が図れる。
【００１３】
第３の発明は、特に、第１または第２の発明の表示装置の設定切替手段を設けた表示手段は、印刷情報を表示する電極配線と機種を特定する機種特定用電極配線で構成したことにより、前記設定切替手段と前記表示手段の電極配線とを同じ工程で電極配線形成できるため、前記設定切替手段を別工程で形成せずにすむため工程削減ができる。
【００１４】
第４の発明は、特に、第３の発明の表示装置の設定切替手段を設けた表示手段において、電気的接続を行う配線に応じて接続ピンを設け、前記表示手段の接続ピンを制御基板に接続することで複数機種を特定の機種に設定できることを特徴としたものである。
【００１５】
これによって、表示手段の印刷情報の違いによらず、表示手段の印刷情報が同じもので、あらかじめ複数機種分の設定切替手段を形成しておけば、表示手段の電極形成部に形成された前記設定切替手段の接続ピンの組み合わせを変えるだけで、複数機種を特定できるために、前記表示手段そのものを同一のものを使用でき、複数機種間で前記表示手段の共用化が図れ、製造管理や部品調達も簡単になる。
【００１６】
第５の発明は、特に、第３の発明の表示装置の設定切替手段を設けた表示手段において、印刷情報を表示する電極配線と機種を特定する機種特定用電極配線配線とを制御基板に電気的接続するために直線状接続部を設け、前記直線状接続部と制御基板側電極配線部を導電性弾性体で接続することで複数機種を特定の機種に設定できることを特徴としたものである。
【００１７】
これによって、前記表示手段に設けた直線状接続部と制御基板との接続を、導電性弾性体のみで接続でき、表示装置の構成を簡単にできるとともに、前記表示手段を変えるだけで容易に特定の機種設定が行うことができる。
【００１８】
第６の発明は、第１〜５の発明の表示装置を加熱調理器に用いることにより、第１〜５の発明と同様の効果を得ることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における表示装置の構成図を示すものである。
【００２１】
図１において、プログラム記憶手段１は複数機種に対応した制御プログラムを記憶したものであり、使用者がプログラム記憶手段１の状態を認識する為の複数機種ごとの表示手段２と、プログラム記憶手段１と表示手段２を電気的に接続する接続手段３とを備え、前記表示手段２には、プログラム記憶手段１に機種に対応して電気的に設定が切り替えられる設定切替手段４を設けている。
【００２２】
以上のように構成された表示装置について、以下その動作、作用を説明する。
【００２３】
まず、複数機種に対応した制御プログラムを記憶したプログラム記憶手段１は、接続手段３にて、機種固有の表示手段２とその表示手段２に設けられた機種に対応して電気的に設定が切り替えられる設定切替手段４とに電気的に接続されている。この場合、例えば表示装置１を液晶表示素子とすると、通常、液晶表示素子には内部配線としてＩＴＯが用いられるが、機種切替部を同じＩＴＯで同一工程で形成することで、設定切替手段４を特別な材料、特別な工程を必要とせず通常の液晶表示素子を製造する工程だけで一体形成することができ、かつ、設定切替手段４を別部品で構成する必要がない。また、機種ごとの表示情報と設定切替手段４の情報を液晶表示素子に持たせることで、プログラム記憶手段１と表示手段２を電気的に接続するだけで、機種に対応する設定切替手段４からの切替信号を入力できる、すなわち表示手段２である液晶表示素子のみを変えるだけで特定機種設定できるため、部品点数削減や製造コスト削減、ならびに製造管理や部品調達も容易になる。
【００２４】
以上のように、本実施の形態においてはプログラム記憶手段１は複数機種に対応した制御プログラムを記憶したものであり、使用者がプログラム記憶手段１の状態を認識する為の複数機種ごとの表示手段２と、プログラム記憶手段１と表示手段２を電気的に接続する接続手段３とを備え、前記表示手段２には、プログラム記憶手段１に機種に対応して電気的に設定が切り替えられる設定切替手段４を設けていることを特徴とすることにより、プログラム記憶手段１と表示手段２を電気的に接続するだけで、機種に対応する設定切替手段４からの切替信号を入力できる、すなわち表示手段２である液晶表示素子のみを変えるだけで特定機種設定できるため、機種切替のためのＥＥＰＲＯＭやジャンパーなどの専用部品を必要とせず、部品点数の削減や製造コストの削減が図ることができる。また、設定切替手段４を持つ表示手段以外は全て共用で製造することが可能なため、複数機種分の製造をまとめて行うことができ、機種切替は表示手段のみ変更すれば行えるため、製造管理や部品調達も簡単にすることができる。
【００２５】
（実施の形態２）
図２は、本発明の第２の実施の形態における表示装置の表示手段に液晶表示素子を用いた場合の液晶表示素子の展開図を示すものである。図３（ａ）および（ｂ）は、液晶表示素子に設けた設定切替手段の設定切替の具体例を示す構成図である。図４は、表示手段である液晶表示素子に直線状接続部を設け、導電性弾性体を接続手段に用いた構成図である。図５は、直線状接続部だけに設定切替パターン配線を設けた構成図である。
【００２６】
図２において、表示手段４は、液晶表示素子で構成されており、上ガラス６と下ガラス７には、機種固有の情報を印刷またはエッチング等で形成されたＩＴＯからなる上電極パターン配線５と下電極パターン配線７が設けられている。下ガラス８には設定切替手段として、設定切替パターン配線９が下電極パターン配線７と同一面に設けられている。下ガラス８に設けられた下電極パターン配線７と設定切替パターン配線９には、プログラム記憶手段と電気的に接続するための接続ピン１０が接続されている。
【００２７】
図３（ａ）は、液晶表示素子に設けた設定パターン配線９の内、接続ピン１０−１と１０−３を接続している。たとえばこの構成では、接続ピン１０−１は制御基板より５Ｖが供給されるようにし、接続ピン１０−３はプログラム記憶手段１の機種設定用入力ポートに接続することで、機種設定用入力ポートには接続ピン１０−１と１０−３を介して５Ｖが入力され、それに応じた機種に設定するようにしている。また、図３（ｂ）のように、接続ピン１０−２をプログラム記憶手段１の前記機種設定用入力ポートとは別の機種設定用入力ポートに接続することで、異なる機種に設定するようにしている。これにより、液晶表示素子としての上下電極パターン配線５，７および設定切替パターン配線９を同一にしても、設定切替パターン配線９に接続する接続ピン１０を変えることで機種設定の切替が可能になる。
【００２８】
図４は、液晶表示素子に接続ピンを用いずに導電性弾性体１１を用いてプログラム記憶手段１に電気的入力信号を伝える例であり、液晶表示素子を、半田付け等を行わずに接続できるために、製造工程上容易に機種設定が可能になるとともに、別の設定切替パターン配線９をもつ液晶表示素子にも半田接続をはずすなどの作業がいらず容易に交換することができるため、サービス性も向上する。
【００２９】
図５は、直線状接続部１２だけに設定切替パターン配線９を設けた構成、すなわち、機種に関連した情報を表示する液晶表示素子の表示範囲内に設定切替パターン配線９を設けないことで、液晶表示素子本来の表示範囲をより有効に使用することが可能となる。
【産業上の利用可能性】
【００３０】
以上のように、本発明にかかる表示装置は、複数機種に対応したプログラム記憶手段に対し、容易にかつ安価に機種を特定させることが可能となるので、加熱調理器のみならず表示装置を使用する他分野への展開も図ることで同様の効果を得ることができる。
【図面の簡単な説明】
【００３１】
【図１】本発明の実施の形態１における表示装置の構成図
【図２】本発明の実施の形態２における表示装置の構成図
【図３】本発明の実施の形態２における表示装置の構成図
【図４】本発明の実施の形態２における表示装置の構成図
【図５】本発明の実施の形態２における表示装置の構成図
【図６】従来の制御基板の構成図
【符号の説明】
【００３２】
１  プログラム記憶手段
２  表示手段
３  接続手段
４  設定切替手段
５  上電極配線パターン
６  上ガラス
７  下電極配線パターン
８  下ガラス
９  設定切替パターン配線
１０  接続ピン
１１  導電性弾性体
１２  直線状接続部
【図１】
2005292246.tif 000003
【図２】
2005292246.tif 000004
【図３】
2005292246.tif 000005
【図４】
2005292246.tif 000006
【図５】
2005292246.tif 000007
【図６】
2005292246.tif 000008